(57)【要約】【課題】ロック状態からアプリケーションを起動させるまでの操作性を向上させることができる情報処理装置、情報処理方法、及びプログラムを提供する。【解決手段】情報処理装置は、表示画面に対する操作体の位置を検出する検出部と、ロック状態の前記表示画面に対する第１の操作が検出されると、前記第１の操作が終了したときの前記操作体の位置を示す基準点に基づいて配置されるアイコンを前記表示画面上に表示させ、前記基準点からの方向を指示する第２の操作が検出されると、前記第２の操作により特定される前記アイコンに対応づけられたアプリケーションを起動させる制御部と、を有する。【選択図】図２
2015228249.tif 000002
【特許請求の範囲】
【請求項１】
表示画面に対する操作体の位置を検出する検出部と、
ロック状態の前記表示画面に対する第１の操作が検出されると、前記第１の操作が終了したときの前記操作体の位置を示す基準点に基づいて配置されるアイコンを前記表示画面上に表示させ、前記基準点からの方向を指示する第２の操作が検出されると、前記第２の操作により特定される前記アイコンに対応づけられたアプリケーションを起動させる制御部と、
を備える、情報処理装置。
【請求項２】
前記制御部は、前記基準点を中心とする放射状に前記アイコンを配置させる、請求項１に記載の情報処理装置。
【請求項３】
前記制御部は、前記基準点の位置に基づいて、表示させる前記アイコンの組を選択する、請求項１に記載の情報処理装置。
【請求項４】
前記表示画面は複数の領域に分割されており、
前記制御部は、検出された前記基準点がいずれの領域に含まれるかに基づいて、表示させる前記アイコンの組を選択する、請求項３に記載の情報処理装置。
【請求項５】
現在地の位置情報を取得する位置情報取得部、
をさらに備え、
前記制御部は、前記位置情報に基づいて、表示させる前記アイコンの組を選択する、請求項１に記載の情報処理装置。
【請求項６】
前記制御部は、現時点の日時及び曜日にさらに基づいて、表示させる前記アイコンの組を選択する、請求項１に記載の情報処理装置。
【請求項７】
ユーザの行動を認識する行動認識部、
をさらに備え、
前記制御部は、認識された前記ユーザの行動に基づいて、表示させる前記アイコンの組を選択する、請求項１に記載の情報処理装置。
【請求項８】
前記行動認識部により前記ユーザがジョギングをしていると認識されたときに表示される前記アイコンの組は、位置情報のロギングアプリケーション、音楽再生アプリケーション、及び経路案内アプリケーションの少なくともいずれかを含む、請求項７に記載の情報処理装置。
【請求項９】
前記情報処理装置の筐体の向きを検出する筐体向き検出部、
をさらに備え、
前記制御部は、検出された前記筐体の向きに応じて、互いに異なる前記アイコンの組を表示させる、請求項１に記載の情報処理装置。
【請求項１０】
前記筐体の長手方向が横向きであることが検出されたときに表示される前記アイコンの組は、撮像アプリケーションに対応づけられたアイコンを含む、請求項９に記載の情報処理装置。
【請求項１１】
前記筐体の長手方向が横向きであることが検出されたときに表示される前記アイコンの組は、映像再生アプリケーションと対応づけられたアイコンを含む、請求項９に記載の情報処理装置。
【請求項１２】
前記第1の操作は、持ち主を特定するための操作である、請求項１に記載の情報処理装置。
【請求項１３】
前記第1の操作は、前記表示画面の任意の点に対する長押し操作または押し込み操作である、請求項１に記載の情報処理装置。
【請求項１４】
ロック状態の表示画面に対する第１の操作を検出することと、
前記第１の操作が終了したときの操作体の位置を示す基準点に基づいて配置されるアイコンを前記表示画面上に表示させることと、
前記基準点からの方向を指示する第２の操作を検出することと、
前記第２の操作により特定される前記アイコンに対応づけられたアプリケーションを起動させることと、
を含む、情報処理方法。
【請求項１５】
コンピュータを、
表示画面に対する操作体の位置を検出する検出部と、
ロック状態の前記表示画面に対する第１の操作が検出されると、前記第１の操作が終了したときの前記操作体の位置を示す基準点に基づいて配置されるアイコンを前記表示画面上に表示させ、前記基準点からの方向を指示する第２の操作が検出されると、前記第２の操作により特定される前記アイコンに対応づけられたアプリケーションを起動させる制御部と、
を備える、情報処理装置として機能させるためのプログラム。
【請求項１６】
前記制御部は、前記基準点を中心とする放射状に前記アイコンを配置させる、請求項１５に記載のプログラム。
【請求項１７】
前記制御部は、前記基準点の位置に基づいて、表示させる前記アイコンの組を選択する、請求項１５に記載のプログラム。
【請求項１８】
前記表示画面は複数の領域に分割されており、
前記制御部は、検出された前記基準点がいずれの領域に含まれるかに基づいて、表示させる前記アイコンの組を選択する、請求項１７に記載のプログラム。
【請求項１９】
前記情報処理装置は、現在地の位置情報を取得する位置情報取得部をさらに備え、
前記制御部は、前記位置情報に基づいて、表示させる前記アイコンの組を選択する、請求項１５に記載のプログラム。
【請求項２０】
前記制御部は、現時点の日時及び曜日にさらに基づいて、表示させる前記アイコンの組を選択する、請求項１５に記載のプログラム。
【発明の詳細な説明】
【技術分野】
【０００１】
本開示は、情報処理装置、情報処理方法、及びプログラムに関する。
【背景技術】
【０００２】
近年、スマートフォンを始めとして、タッチセンサなどを搭載し、表示画面に対する操作体の位置により入力操作を行う情報処理装置が普及している。このような情報処理装置においては、入力操作を制限するロック機能を使用することによって、意図しない入力操作を防止している（例えば特許文献１）。ロック状態からアプリケーションの機能を利用するためには、ユーザは、ロック解除操作とアプリケーション起動操作とを行う。
【先行技術文献】
【特許文献】
【０００３】
【特許文献１】特開２０１１−４８６６５号公報
【発明の概要】
【発明が解決しようとする課題】
【０００４】
ところが上記のような情報処理装置においては、操作性向上への要求が近年特に高まっている。このような事情に鑑みれば、ロック状態からアプリケーションを起動させるまでの操作性についても向上させることが望ましい。
【課題を解決するための手段】
【０００５】
本開示によれば、表示画面に対する操作体の位置を検出する検出部と、ロック状態の上記表示画面に対する第１の操作が検出されると、上記第１の操作が終了したときの上記操作体の位置を示す基準点に基づいて配置されるアイコンを上記表示画面上に表示させ、上記基準点からの方向を指示する第２の操作が検出されると、上記第２の操作により特定される上記アイコンに対応づけられたアプリケーションを起動させる制御部と、を有する情報処理装置が提供される。
【０００６】
かかる構成によれば、ロック状態の表示画面に対してなされる第１の操作が終了したときの操作体の位置（基準点）を基準として、アイコンが表示される。そして、この基準点からの方向を指示する第２の操作によって表示されたアイコンのいずれかを特定することができる。従って、ユーザは、第１の操作と、アイコンを特定するための第２の操作とを一連の操作として行うことができる。これにより、ロック状態からアプリケーションを起動するまでの操作性が向上される。
【０００７】
また、本開示によれば、ロック状態の表示画面に対する第１の操作を検出することと、上記第１の操作が終了したときの操作体の位置を示す基準点に基づいて配置されるアイコンを上記表示画面上に表示させることと、上記基準点からの方向を指示する第２の操作を検出することと、上記第２の操作により特定される上記アイコンに対応づけられたアプリケーションを起動させることと、を含む情報処理方法が提供される。
【０００８】
また、本開示によれば、コンピュータを、表示画面に対する操作体の位置を検出する検出部と、ロック状態の上記表示画面に対する第１の操作が検出されると、上記第１の操作が終了したときの上記操作体の位置を示す基準点に基づいて配置されるアイコンを上記表示画面上に表示させ、上記基準点からの方向を指示する第２の操作が検出されると、上記第２の操作により特定される上記アイコンに対応づけられたアプリケーションを起動させる制御部と、を有する情報処理装置として機能させるためのプログラムが提供される。
【発明の効果】
【０００９】
以上説明したように本開示によれば、ロック状態からアプリケーションを起動させるまでの操作性を向上させることができる。
【図面の簡単な説明】
【００１０】
【図１】本開示の第１の実施形態に係る携帯端末の外観例を示す説明図である。
【図２】同実施形態に係る携帯端末の機能ブロック図である。
【図３】同実施形態における表示画面に対する操作の一例を示す説明図である。
【図４】同実施形態におけるアイコン表示の他の一例について説明するための説明図である。
【図５】同実施形態におけるホーム画面起動の一例について説明するための説明図である。
【図６】同実施形態におけるアイコン表示の他の一例について説明するための説明図である。
【図７】同実施形態においてタッチ位置に基づいて表示させるアイコンを選択する一例を説明するための説明図である。
【図８】同実施形態に係る携帯端末の動作の一例を示すフローチャートである。
【図９】本開示の第２の実施形態に係る携帯端末の機能ブロック図である。
【図１０】同実施形態において、ユーザが会社にいるときに表示される表示画面の一例である。
【図１１】同実施形態において、ユーザが休暇中であると判断されたときに表示される表示画面の一例である。
【図１２】同実施形態において、ユーザが電車の中にいるときに表示される表示画面の一例である。
【図１３】同実施形態に係る携帯端末の動作の一例を示すフローチャートである。
【図１４】本開示の第３の実施形態に係る携帯端末の機能ブロック図である。
【図１５】同実施形態において、ユーザがジョギング中に表示される表示画面の一例である。
【図１６】同実施形態に係る携帯端末の動作の一例を示すフローチャートである。
【図１７】本開示の第４の実施形態に係る携帯端末の機能ブロック図である。
【図１８】同実施形態において、筐体が横向きに持たれているときに表示される表示画面の一例である。
【図１９】同実施形態に係る携帯端末の動作の一例を示すフローチャートである。
【図２０】本開示の第５の実施形態に係る携帯端末の機能ブロック図である。
【図２１】同実施形態に係る携帯端末において表示される、持ち主特定を含むロック解除操作を行う表示画面の一例である。
【図２２】同実施形態に係る携帯端末の動作の一例を示すフローチャートである。
【図２３】本開示の第１〜第５の実施形態に係る携帯端末のハードウェア構成例を示すブロック図である。
【図２４】従来のロック解除画面の一例を示す説明図である。
【図２５】従来のロック解除画面の他の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．第１の実施形態
１−１．構成例
１−２．表示画面例
１−３．動作例
２．第２の実施形態（位置情報に基づいたアイコン選択の例）
２−１．構成例
２−２．表示画面例
２−３．動作例
３．第３の実施形態（行動認識に基づいたアイコン選択の例）
３−１．構成例
３−２．表示画面例
３−３．動作例
４．第４の実施形態（筐体向きに基づいたアイコン選択の例）
４−１．構成例
４−２．表示画面例
４−３．動作例
５．第５の実施形態（持ち主特定を含むロック解除の例）
５−１．構成例
５−２．表示画面例
５−３．動作例
６．ハードウェア構成例
【００１３】
＜１．第１の実施形態＞
（１−１．構成例）
まず、図１及び図２を参照して、本開示の第１の実施形態に係る携帯端末１００の概略構成について説明する。図１は、本開示の第１の実施形態に係る携帯端末の外観例を示す説明図である。図２は、同実施形態に係る携帯端末の機能ブロック図である。
【００１４】
図１に示されるように、携帯端末１００は、筐体の表面に表示部１０３及び表示部１０３に重畳したタッチセンサ１０５を有している。また、携帯端末１００は、タッチセンサとは別に、ボタンなどによる操作部を合わせて有してもよい。かかる構成により、携帯端末１００は、表示部１０３に表示された表示画面に対する操作体の位置によるユーザ入力を受付けることができる。また携帯端末１００は所謂ＧＵＩ（Ｇｒａｐｈｉｃａｌ  Ｕｓｅｒ  Ｉｎｔｅｒｆａｃｅ）を利用し、ユーザ入力に基づいて表示画面の内容を制御することができる。
【００１５】
携帯端末１００は、ロック状態からのアプリケーション起動操作の操作性が向上された情報処理装置の一例である。例えば携帯端末１００は、スマートフォンを含む携帯電話をはじめとし、携帯用音楽再生装置、携帯用映像処理装置、携帯用ゲーム機器、ノートＰＣ（Ｐｅｒｓｏｎａｌ  Ｃｏｍｐｕｔｅｒ）、タブレット型ＰＣなどの情報処理装置であってよい。またここでは携帯型の端末装置を例に説明を行うが、本技術はロック機能を有するあらゆる情報処理装置に適用することができる。
【００１６】
この携帯端末１００は、図２に示されるように表示部１０３と、タッチセンサ１０５と、制御部１０７とを主に有する情報処理装置である。なお、ここでは同実施形態に係る携帯端末１００の機能を説明するための構成について主に説明するが、携帯端末１００は他にも様々な機能を有する情報処理装置であってよい。携帯端末１００のハードウェア構成の一例については、後述される。
【００１７】
表示部１０３は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。
【００１８】
タッチセンサ１０５は、入力部の一例であり、センサ上の操作体の位置を検出する検出部の一例である。ここでタッチセンサ１０５は、表示画面を表示する表示部１０３上に重畳して設けられているため、表示画面に対する操作体の位置を検出することができる。なお、ここで用いられるタッチセンサ１０５は、筐体のうちタッチセンサ１０５の検出面側の表面に接触する操作体の位置を検出する接触式のセンサであってよい。或いは、タッチセンサ１０５は、センサの検出面上空の操作体の位置を検出する非接触式のセンサであってもよい。タッチセンサ１０５に対して入力操作を行う操作体は、例えばユーザの指であってよい。或いは操作体は、スタイラスペンであってもよい。
【００１９】
制御部１０７は、携帯端末１００の全体の動作を制御する機能を有する。例えば制御部１０７は、タッチセンサ１０５から入力された操作体の位置の情報に基づいて、表示部１０３に表示させる表示画面の内容を制御する表示制御部として機能することができる。また制御部１０７は、例えば表示部１０３がアプリケーションのアイコンを含む表示画面を表示しているときに、ユーザが表示されたアイコンを選択する操作を行ったことが検出されると、選択されたアイコンに対応づけられたアプリケーションを起動することもできる。また、制御部１０７は、起動されたアプリケーションそれぞれの動作を制御することもできる。
【００２０】
ここで本実施形態のロック状態からアプリケーション起動までの操作における制御部１０７の制御内容について説明する。なお、ここで言うロックとは、ユーザ入力を制限する機能のことを意味する。ロック状態になると、例えば予め決められた操作以外のユーザ操作が全て無効化される。予め決められた操作の一例としては、ロック解除操作や緊急通報操作などが挙げられる。ロック状態への遷移は、例えば無操作状態が所定時間継続した場合やユーザにより所定のロック開始操作が行われた場合などに実行される。かかる構成により、ユーザの意図に反した入力が行われることを防止することができる。
【００２１】
このロック状態の表示画面に対して第１の操作を行われると、制御部１０７は、第１の操作が終了したときの操作体の位置を示す点（基準点）を基準としてアイコンを配置させる。ここでアイコンは、基準点からの方向に対して１つのアイコンが特定される位置に配置されることが望ましい。例えば、このアイコンは、基準点を中心とする放射状に配置されてよい。またこのアイコンは、一列に配置されてもよい。ユーザがこの基準点からの方向を指示する第２の操作をすると、制御部１０７は、第２の操作により特定されるアイコンに対応づけられたアプリケーションを起動させることができる。なお、ここで第１の操作は、本実施形態においては表示画面上の任意の点を所定時間以上指し示す操作（いわゆる、長押し操作）とする。また第２の操作は、基準点からいずれかの方向を指示するドラッグ操作とする。
【００２２】
制御部１０７は、ここで表示させるアイコンを選択する選択部の機能も有する。制御部１０７は、例えば予め選択されたアイコンの組を単位として表示させるアイコンを選択してもよい。或いは、制御部１０７は、アイコンを１つ１つ選択して、表示させるアイコンの組を生成してもよい。本実施形態においては、制御部１０７は、予め選択されたアイコンの組を表示画面中に表示させる。このアイコンの組は、例えばユーザが予め選択したアイコンの組であってよい。或いは、アイコンの組は、携帯端末１００の出荷前に予め選択されたアイコンの組であってよい。予め準備されたアイコンの組のうち、それぞれのアイコンが表示される基準点に対する位置が予め決まっている場合には、ユーザは表示画面を見なくてもアイコンの選択操作を行うことができるためさらに操作性が向上する効果がある。また制御部１０７は、表示画面中の基準点の位置に基づいて、表示させるアイコンの組を選択してもよい。例えば表示画面中の上半分の領域がユーティリティ系のアプリケーションを起動するための領域であり、表示画面中の下半分の領域がソーシャル系のアプリケーションを起動するための領域であることが予め決められている場合を考える。このとき、タッチセンサが検出した長押し操作の位置が表示画面の上半分の領域であるときには、制御部１０７は、ユーティリティ系のアプリケーションと対応づけられたアイコンの組を表示させることができる。
【００２３】
また制御部１０７は、アイコンを表示させるときに、それぞれのアイコンが対応づけられたアプリケーションの新着情報件数を表示させることができる。かかる表示によれば、ユーザはアプリケーションを起動しなくても新着情報の有無及び件数を知ることができる。この新着情報は、例えばメールアプリケーションの場合には未読メールの件数であってよい。或いは、ソーシャルネットワーキングサービスへの接続アプリケーションの場合には、新着の投稿及びメールなどの通知件数であってよい。
【００２４】
以上、本実施形態に係る携帯端末１００の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。また携帯端末１００のハードウェア構成の一例については、後述される。
【００２５】
なお、上述のような本実施形態に係る携帯端末１００の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２６】
（１−２．表示画面例）
次に、図３〜図７を参照しながら、携帯端末１００の表示部１０３に表示される表示画面の一例について説明する。図３は、同実施形態における表示画面に対する操作の一例を示す説明図である。図４は、同実施形態におけるアイコン表示の他の一例について説明するための説明図である。図５は、同実施形態におけるホーム画面起動の一例について説明するための説明図である。図６は、同実施形態におけるアイコン表示の他の一例について説明するための説明図である。図７は、同実施形態においてタッチ位置に基づいて表示させるアイコンを選択する一例を説明するための説明図である。
【００２７】
なお、本明細書及び図面において、実質的に同一の機能構成を有する複数の構成要素を、同一の符号の後に異なるアルファベット又は数字を付して区別する場合もある。例えば、実質的に同一の機能構成を有する複数の構成を、必要に応じてアイコンＩａ、アイコンＩｂのように区別する。ただし、実質的に同一の機能構成を有する複数の構成要素の各々を特に区別する必要がない場合、同一符号のみを付する。例えば、アイコンＩａ、及びアイコンＩｂなどを特に区別する必要が無い場合には、単にアイコンＩと称する。
【００２８】
まず図３を参照しながら本実施形態に係る携帯端末１００のロック解除時の表示画面例について説明する。図３（Ａ）に示されるように、ロック状態の表示画面１０の任意の箇所にユーザが指（操作体の一例）でタッチし、その指の位置Ｐ１を所定時間以上維持するいわゆる長押し操作を行う。すると、制御部１０７は、図３（Ｂ）に示されるように、表示画面１０上の検出された指の位置Ｐ１を中心とする放射状にアイコンＩを配置させる。
【００２９】
ここでは、例えばメールアプリケーションを起動させるためのアイコンＩａ、撮像アプリケーションを起動させるためのアイコンＩｂ、ショートウェブログサービスに接続するアプリケーションを起動させるためのアイコンＩｃ、ＳＮＳ（Ｓｏｃｉａｌ  Ｎｅｔｗｏｒｋ  Ｓｅｒｖｉｃｅ）に接続するアプリケーションを起動させるためのアイコンＩｄ及びアイコンＩｅが放射状に表示される。そして、ユーザが表示されたアイコンＩのうちのいずれかに向かう方向にドラッグ操作を行うと、制御部１０７は、このドラッグ操作により特定されるアイコンが対応づけられたアプリケーションを起動させる。図３（Ｃ）の例では、ユーザは、矢印で示されるように、撮像アプリケーションと対応づけられたアイコンＩｂに向かう方向へドラッグ操作を行う。従って制御部１０７は、アイコンＩｂに対応づけられた撮像アプリケーションを起動させる。
【００３０】
ここで表示されるアイコンＩは、例えば携帯端末１００の出荷時に予め決められたアイコンＩの組であってよい。或いはここで表示されるアイコンＩは、ユーザによって選択されたアプリケーションに対応づけられたアイコンＩの組であってよい。ユーザは、よく利用するアプリケーションを予め選択しておくことができる。またこのときユーザがそれぞれのアイコンＩを表示させる位置についても予め設定しておくことができてもよい。ユーザが、指の位置Ｐ１に対してアイコンＩが表示される位置を予め把握している場合には、ユーザはロック解除からアプリケーションの起動までを、表示画面１０を見ることなく行うことができる。ユーザは、表示画面１０上の任意の位置で長押し操作をし、起動させたいアプリケーションのアイコンＩの方向にドラッグ操作をすればよい。かかる操作により、ユーザは指を画面から離すことのない一連の操作で、ロック解除及びアプリケーションの起動を行うことができる。
【００３１】
例えば、ロック解除及びアプリケーションの起動を一連の操作で行うユーザインタフェースとしては、図２４及び図２５に示される表示画面９１及び表示画面９３が提案されている。例えば図２４に示される表示画面９１において、ユーザは、表示されているアイコンＩのうちのひとつ、例えばアイコンＩ８を右にドラッグ操作し、画面の右端までアイコンＩ８をスライドさせることによって、操作したアイコンＩ８に対応づけられたアプリケーションを起動させることができる。また図２５に示される表示画面９３においても同様に、表示されたアイコンＩのうちのひとつ、例えばアイコンＩ９を右又は左にドラッグ操作することによって、操作したアイコンＩ９に対応づけられたアプリケーションを起動させることができる。ところが、図２４及び図２５に示した例においては、ユーザは、表示画面の全体を見て把握する必要がある。これに対して、本実施形態の表示画面１０は、ユーザがタッチした任意の箇所を中心としてアイコンＩが放射状に表示される。このため、ユーザは、自分がタッチした指の位置Ｐ１の周辺だけを見ればよい。従って、ロック解除及びアプリケーションの起動にかかる操作性が向上される。さらに、指の位置Ｐ１に対するアイコンＩの表示される位置が予め決まっている場合には、ユーザは、画面を見なくても操作することができるようになり、さらに操作性が向上される。
【００３２】
また制御部１０７は、タッチ位置が表示画面１０の端部に近い場合には、図４（Ａ）に示されるように、アイコンＩを半円状に配置させてもよい。或いは制御部１０７は、図４（Ｂ）に示されるようにアイコンＩを一列に配置させてもよい。ここでは、アイコンＩが縦一列に配置される例が示されたが、本技術はかかる例に限定されない。アイコンＩは横一列に配置されてもよい。
【００３３】
また、例えば図５（Ａ）に示されるように、アイコンＩが存在しない方向にドラッグ操作を行うと、制御部１０７はホームアプリケーションを起動するようにしてもよい。或いは、図５（Ｂ）に示されるように、制御部１０７は、ホームアプリケーションを起動させるためのホームアイコンＩ０を表示させてもよい。ドラッグ操作によりホームアイコンＩ０が特定されると、制御部１０７は、ホームアプリケーションを起動させることができる。
【００３４】
また図６に示されるように、制御部１０７は、表示画面１０に表示されるそれぞれのアイコンＩが対応づけられたアプリケーションにおける新着情報の件数をアイコンＩと共に表示させてもよい。また、制御部１０７は、新着情報の内容（例えばメール本文の一部）を表示画面１０中に表示させてもよい。
【００３５】
また図７（Ａ）に示されるように、表示画面１０は第１の領域１１と第２の領域１３とに分けられてもよい。第１の領域１１と第２の領域１３とでは、操作を行ったときに表示されるアイコンＩの種類が異なる。例えば、第１の領域１１は、ユーティリティ系のアプリケーションを起動させるための領域であってよい。図７の例においては、第１の領域１１において長押し操作が検出されると、メールアプリケーションを起動させるためのアイコンＩａと、通話アプリケーションを起動させるためのアイコンＩｆと、音楽再生アプリケーションを起動させるためのアイコンＩｇと、電車の乗り換え案内アプリケーションを起動させるためのアイコンＩｈと、カレンダーアプリケーションを起動させるためのアイコンＩｉとが、指の位置から放射状に表示される。また第２の領域１３は、ソーシャル系のアプリケーションを起動させるための領域であってよい。図７の例においては、第２の領域１３において長押し操作が検出されると、ショートウェブログサービスに接続するアプリケーションを起動するためのアイコンＩｃと、位置情報に関連する情報を共有するソーシャルサービスに接続するアプリケーションを起動するためのアイコンＩｊと、画像を共有するソーシャルサービスに接続するアプリケーションを起動するためのアイコンＩｋと、ＳＮＳに接続するアプリケーションを起動するためのアイコンＩｌ及びＩｅとが、指の位置から放射状に表示される。
【００３６】
かかる構成とすることによって、起動するアプリケーションの選択肢を増やすことができる。指の位置から放射状に、一度に表示されるアイコンＩの数を増やすほど、起動するアプリケーションの選択肢を増やすことはできる。しかし、この場合、選択肢が増えると誤操作の危険性が高まり、操作性は低下する。これに対して、領域によって表示させるアイコンＩの種類を変える本実施形態の方法であれば、誤操作の危険性は変わることなく選択肢を増やすことができ、操作性が向上される。
【００３７】
（１−３．動作例）
次に図８を参照しながら、本実施形態に係る携帯端末１００のロック状態からアプリケーション起動する動作の一例を説明する。図８は、同実施形態に係る携帯端末の動作の一例を示すフローチャートである。
【００３８】
まず、制御部１０７は、タッチセンサ１０５によって画面タッチが検出されたか否かを判断する（Ｓ１０１）。そして、画面タッチが検出されると、次に制御部１０７は、検出されたタッチ位置が所定時間以上変わらない長押し操作が検出されたか否かを判断する（Ｓ１０３）。そしてステップＳ１０３において長押し操作が検出されると、制御部１０７は、検出されたタッチ位置に基づいてアイコンＩを表示させる（Ｓ１０５）。ここでアイコンＩは、例えばタッチ位置から放射状に表示されてよい。
【００３９】
そして次に制御部１０７は、所定時間内に方向を指示するドラッグ操作が検出されたか否かを判断する（Ｓ１０７）。ここで所定時間内にドラッグ操作が検出されると、制御部１０７は、ドラッグ操作の方向に応じたアプリケーションを起動させる（Ｓ１０９）。例えば制御部１０７は、ドラッグ操作によりいずれかのアイコンＩが特定されるときには、特定されたアイコンＩに対応づけられたアプリケーションを起動させることができる。また制御部１０７は、ドラッグ操作によりいずれのアイコンＩも特定されないときには、ホームアプリケーションを起動させてもよい。
【００４０】
＜２．第２の実施形態＞
次に、本開示の第２の実施形態について説明する。第２の実施形態は、第１の実施形態と比較して、表示させるアイコンを選択する方法が異なる。以下の説明中においては、この差異点について主に説明し、共通する構成については説明を省略する。
【００４１】
（２−１．構成例）
まず図９を参照しながら、本開示の第２の実施形態に係る携帯端末２００の概略構成について説明する。図９は、本開示の第２の実施形態に係る携帯端末の機能ブロック図である。
【００４２】
図９に示されるように、本開示の第２の実施形態に係る携帯端末２００は、表示部１０３と、タッチセンサ１０５と、制御部２０７と、位置情報取得部２０９とを主に有する。
【００４３】
制御部２０７は、携帯端末２００の全体の動作を制御する機能を有する。例えば制御部２０７は、タッチセンサ１０５から入力された操作体の位置の情報に基づいて、表示部１０３に表示させる表示画面の内容を制御する表示制御部として機能することができる。また制御部２０７は、このとき位置情報取得部２０９から入力される現在の位置情報を用いて表示画面の内容を制御してもよい。また制御部２０７は、このとき現在の日付、曜日、及び時間などの情報を用いて表示画面の内容を制御してもよい。また制御部２０７は、表示部１０３がアプリケーションのアイコンＩを含む表示画面を表示しているときに、ユーザが表示されたアイコンを選択する操作を行ったことが検出されると、選択されたアイコンに対応づけられたアプリケーションを起動することもできる。また制御部２０７は、起動されたアプリケーションそれぞれの動作を制御することもできる。
【００４４】
位置情報取得部２０９は、現在地の位置情報を取得する機能を有する。位置情報取得部２０９は、例えばＧＰＳ（Ｇｌｏｂａｌ  Ｐｏｓｉｔｉｏｎｉｎｇ  Ｓｙｓｔｅｍ）アンテナとＧＰＳ受信信号から位置情報を算出するＧＰＳ処理部とにより実現されてもよい。或いは、位置情報取得部２０９は、各種のセンサによる相対位置測定機能を有していてもよい。また、位置情報取得部２０９は、複数の基地局から受信するＷｉ−Ｆｉ電波の受信強度から各基地局と携帯装置２００との距離を推定し、推定した距離と各基地局の位置情報とを利用して、三角測量の原理に基づいて現在の位置情報を算出してもよい。また、位置情報取得部２０９は、各種の室内測位の技術により位置情報を取得してもよい。例えば、室内測位に用いられる技術の例としては、室内ＧＰＳとも呼ばれるＩＭＥＳ（Ｉｎｄｏｏｒ  Ｍｅｓｓａｇｉｎｇ  Ｓｙｓｔｅｍ）、可視光通信、赤外線通信、ＲＦＩＤ（Ｒａｄｉｏ  Ｆｒｅｑｕｅｎｃｙ  ＩＤｅｎｔｉｆｉｃａｔｉｏｎ）タグ、ＱＲ（Ｑｕｉｃｋ  Ｒｅｓｐｏｎｃｅ）コードなどが挙げられる。
【００４５】
以上、本実施形態に係る携帯端末２００の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。また携帯端末２００のハードウェア構成の一例については、後述される。
【００４６】
なお、上述のような本実施形態に係る携帯端末２００の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００４７】
（２−２．表示画面例）
次に、図１０〜図１２を参照しながら、携帯端末２００の表示部１０３に表示される表示画面の一例について説明する。図１０は、同実施形態において、ユーザが会社にいるときに表示される表示画面の一例である。図１１は、同実施形態において、ユーザが休暇中であると判断されたときに表示される表示画面の一例である。図１２は、同実施形態において、ユーザが電車の中にいるときに表示される表示画面の一例である。
【００４８】
例えば図１０に示されるように、タッチセンサ１０５が長押し操作を検出したときに、位置情報取得部２０９から入力される位置情報が、ユーザが会社にいることを示していると、制御部２０７は、この位置情報に基づいて選択されたアイコンＩの組を表示させることができる。このとき表示されるアイコンＩの組は、例えば会社に居るときのために予め選択されたアイコンＩの組であってよい。このアイコンＩの組は、会社にいるときによく利用するアプリケーションと対応づけられたものであることが望ましい。例えば、図１０の例においては、メールアプリケーションを起動するためのアイコンＩａと、カレンダーアプリケーションを起動するためのアイコンＩｉと、電車の乗り換え案内アプリケーションを起動するためのアイコンＩｈと、地図アプリケーションを起動するためのアイコンＩｎと、通話アプリケーションを起動するためのアイコンＩｆと、が表示される。なお、制御部２０７はこのとき、さらに現在の時刻、曜日などの情報を用いて、表示させるアイコンの組を選択してもよい。例えば、ユーザが会社にいることが検出された場合であっても、休日であるとき、又は定時外の時間帯であるときには、上記と異なるアイコンＩの組を表示させてもよい。
【００４９】
また図１１に示されるように、タッチセンサ１０５が長押し操作を検出したときに、位置情報取得部２０９から入力される位置情報が、ユーザが旅行先にいることを示していると、制御部２０７は、この位置情報に基づいて選択されたアイコンＩの組を表示させることができる。このとき表示されるアイコンＩの組は、例えば旅行先にいるときのために予め選択されたアイコンＩの組であってよい。このアイコンＩの組は、旅行先に居るときに良く利用すると思われるアプリケーションと対応づけられたものであることが望ましい。例えば図１１の例においては、天気情報を閲覧するアプリケーションを起動するためのアイコンＩｏと、音楽再生アプリケーションを起動するためのアイコンＩｇと、ウェブブラウザアプリケーションを起動するためのアイコンＩｐと、書籍閲覧アプリケーションを起動するためのアイコンＩｒとが表示される。なお、このとき制御部２０７は、位置情報に加えて、或いは位置情報に代えて、ユーザのスケジュール情報を用いて、ユーザが旅行先にいると判断してもよい。
【００５０】
また図１２に示されるように、タッチセンサ１０５が長押し操作を検出したときに、位置情報取得部２０９から入力される位置情報が、ユーザが電車内にいることを示しているとき、制御部２０７は、この位置情報に基づいて選択されたアイコンＩの組を表示させることができる。このとき表示されるアイコンＩの組は、例えば電車内でよく利用すると思われるアプリケーションと対応づけられたものであることが望ましい。図１２の例においては、書籍閲覧アプリケーションを起動するためのアイコンＩｒと、音楽再生アプリケーションを起動するためのアイコンＩｇと、カレンダーアプリケーションを起動するためのアイコンＩｉと、ＳＮＳに接続するアプリケーションを起動するためのアイコンＩｅと、動画再生アプリケーションを起動するためのアイコンＩｑと、が表示される。なお、制御部２０７は、例えば位置情報が線路上を移動していることを検出したとき、その移動速度が電車による移動であると判断できるときに、ユーザが電車内に居ると判断してもよい。或いは、制御部２０７は、ユーザが電車内に居ると判断するために、ジャイロセンサや加速度センサなどのセンサからの検出値を併せて用いてもよい。
【００５１】
（２−３．動作例）
ここで図１３を参照しながら、本実施形態に係る携帯端末２００のロック解除及びアプリケーション起動における動作の一例を説明する。図１３は、同実施形態に係る携帯端末の動作の一例を示すフローチャートである。
【００５２】
まず、制御部２０７は、タッチセンサ１０５によって画面タッチが検出されたか否かを判断する（Ｓ２０１）。そして、画面タッチが検出されると、次に制御部２０７は、検出されたタッチ位置が所定時間以上変わらない長押し操作が検出されたか否かを判断する（Ｓ２０３）。そしてステップＳ２０３において長押し操作が検出されると、制御部２０７は、次に位置情報取得部２０９に現在地の位置情報を取得させ、取得された位置情報に基づいて表示させるアイコンの組を選択する（Ｓ２０４）。そして制御部２０７は、検出されたタッチ位置に基づいた位置に選択されたアイコンＩを表示させる（Ｓ２０５）。ここでアイコンＩは、例えばタッチ位置から放射状に表示されてよい。
【００５３】
そして次に制御部２０７は、所定時間内にドラッグ操作が検出されたか否かを判断する（Ｓ２０７）。ここで所定時間内にドラッグ操作が検出されると、制御部２０７は、ドラッグ操作の方向に応じたアプリケーションを起動させる（Ｓ２０９）。例えば制御部２０７は、ドラッグ操作によりいずれかのアイコンＩが特定されるときには、特定されたアイコンＩに対応づけられたアプリケーションを起動させることができる。また制御部２０７は、ドラッグ操作によりいずれのアイコンＩも特定されないときには、ホームアプリケーションを起動させてもよい。
【００５４】
以上説明したように、本開示の第２の実施形態に係る携帯端末２００の構成によれば、位置情報に基づいて、表示させるアイコンＩの組を選択することができる。ユーザが起動させたいと思うアプリケーションは、ユーザの状態によって異なる。ユーザの位置は、ユーザの状態を大きく左右するため、位置情報に基づいて表示させるアイコンを選択することはユーザが所望のアプリケーションを素早く起動させるために有効である。
【００５５】
＜３．第３の実施形態＞
次に、本開示の第３の実施形態について説明する。第３の実施形態は、第１の実施形態及び第２の実施形態と比較して、表示させるアイコンを選択する方法が異なる。以下の説明中においては、この差異点について主に説明し、共通する構成については説明を省略する。
【００５６】
（３−１．構成例）
まず図１４を参照しながら、本開示の第３の実施形態に係る携帯端末３００の概略構成について説明する。図１４は、本開示の第３の実施形態に係る携帯端末の機能ブロック図である。
【００５７】
図１４に示されるように、本開示の第３の実施形態に係る携帯端末３００は、表示部１０３と、タッチセンサ１０５と、制御部３０７と、位置情報取得部２０９と、行動認識部３１１とを主に有する。
【００５８】
行動認識部３１１は、ユーザの行動を認識する機能を有し、例えば位置情報取得部２０９により取得される現在の位置情報、ジャイロセンサや加速度センサなどにより取得される検出値を用いて、ユーザの行動を認識することができる。例えば行動認識部３１１は、ユーザがジョギング中であることを認識することができる。行動認識部３１１は、認識結果を制御部３０７に供給することができる。
【００５９】
制御部３０７は、携帯端末３００の全体の動作を制御する機能を有する。例えば制御部３０７は、タッチセンサ１０５から入力された操作体の位置の情報に基づいて、表示部１０３に表示させる表示画面の内容を制御する表示制御部として機能することができる。また制御部３０７は、このとき行動認識部３１１から供給されるユーザの行動に基づいて表示画面の内容を制御してもよい。例えば行動認識部３１１がユーザはジョギング中であると認識した場合には、制御部３０７は、ジョギング中によく利用するアプリケーションと対応づけられたアイコンＩを表示画面に表示させてもよい。
【００６０】
以上、本実施形態に係る携帯端末３００の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。また携帯端末３００のハードウェア構成の一例については、後述される。
【００６１】
なお、上述のような本実施形態に係る携帯端末３００の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００６２】
（３−２．表示画面例）
次に、図１５を参照しながら、携帯端末３００の表示部１０３に表示される表示画面の一例について説明する。図１５は、同実施形態において、ユーザがジョギング中に表示される表示画面の一例である。
【００６３】
例えば図１５に示されるように、タッチセンサ１０５が長押し操作を検出したときに、行動認識部３１１から供給される認識結果が、ユーザがジョギング中であることを示していると、制御部３０７は、この認識結果に基づいて選択されたアイコンＩの組を表示させることができる。このとき表示されるアイコンＩの組は、例えばジョギング中に表示させるために予め選択されたアイコンＩの組であってよい。このアイコンＩの組は、ジョギング中によく利用すると思われるアプリケーションと対応づけられたものであることが望ましい。例えば、図１５の例においては、音楽再生アプリケーションを起動させるためのアイコンＩｇと、経路案内アプリケーションを起動させるためのアイコンＩｓと、ジョギングサポートアプリケーションを起動させるためのアイコンＩｔとが表示される。
【００６４】
（３−３．動作例）
ここで図１６を参照しながら、本実施形態に係る携帯端末３００のロック解除及びアプリケーション起動における動作の一例を説明する。図１６は、同実施形態に係る携帯端末の動作の一例を示すフローチャートである。
【００６５】
まず、制御部３０７は、タッチセンサ１０５によって画面タッチが検出されたか否かを判断する（Ｓ３０１）。そして、画面タッチが検出されると、次に制御部３０７は、検出されたタッチ位置が所定時間以上変わらない長押し操作が検出されたか否かを判断する（Ｓ３０３）。そしてステップＳ３０３において長押し操作が検出されると、制御部３０７は、次に行動認識部３１１から行動認識結果を取得し、取得された認識結果に基づいて表示させるアイコンの組を選択する（Ｓ３０４）。そして制御部３０７は、検出されたタッチ位置に基づいてアイコンＩを表示させる（Ｓ３０５）。ここでアイコンＩは、例えばタッチ位置から放射状に表示されてよい。
【００６６】
そして次に制御部３０７は、所定時間内に方向を指示するドラッグ操作が検出されたか否かを判断する（Ｓ３０７）。ここで所定時間内にドラッグ操作が検出されると、制御部３０７は、ドラッグ操作の方向に応じたアプリケーションを起動させる（Ｓ３０９）。例えば制御部３０７は、ドラッグ操作によりいずれかのアイコンＩが特定されるときには、特定されたアイコンＩに対応づけられたアプリケーションを起動させることができる。また制御部３０７は、ドラッグ操作によりいずれのアイコンＩも特定されないときには、ホームアプリケーションを起動させてもよい。
【００６７】
以上説明したように、本開示の第３の実施形態に係る携帯端末３００の構成によれば、行動認識結果に基づいて、表示させるアイコンＩの組を選択することができる。ユーザが起動させたいと思うアプリケーションは、ユーザの状態によって異なる。行動認識技術を用いれば、第２の実施形態において単純に位置情報に基づいてユーザの状態を推定するよりもより精度良くユーザの状態を認識することができる。従って、行動認識結果に基づいて表示させるアイコンを選択することは、ユーザが所望のアプリケーションを素早く起動させるために有効である。
【００６８】
＜４．第４の実施形態＞
次に、本開示の第４の実施形態について説明する。第４の実施形態は、携帯端末の筐体の向きによって表示させるアイコンが異なる構成を有する点において、第１〜第３の実施形態と異なる。以下の説明中においては、この差異点について主に説明し、共通する構成については説明を省略する。
【００６９】
（４−１．構成例）
まず図１７を参照しながら、本開示の第４の実施形態に係る携帯端末４００の概略構成について説明する。図１７は、本開示の第４の実施形態に係る携帯端末の機能ブロック図である。
【００７０】
図１７に示されるように、本開示の第４の実施形態に係る携帯端末４００は、表示部１０３と、タッチセンサ１０５と、制御部４０７と、筐体向き検出部４１３とを主に有する。
【００７１】
筐体向き検出部４１３は、例えば３軸加速度センサであってよく、筐体の向きを検出することができる。例えばここで筐体の長手方向が概ね水平である向きを横向きとすることができる。これに対し、筐体の短手方向が概ね水平である向きを縦向きとすることができる。筐体向き検出部４１３は、検出した筐体の向きを制御部４０７に供給することができる。
【００７２】
制御部４０７は、携帯端末４００の全体の動作を制御する機能を有する。例えば制御部４０７は、タッチセンサ１０５から入力された操作体の位置の情報に基づいて、表示部１０３に表示させる表示画面の内容を制御する表示制御部として機能することができる。また制御部４０７は、このとき筐体向き検出部４１３から供給された筐体の向きに基づいて、表示画面の内容を制御してもよい。例えば筐体向き検出部４１３が筐体が横向きであることを検出したとき、制御部４０７は、横向きにてよく利用されるアプリケーションを起動させるためのアイコンＩを表示させてもよい。
【００７３】
なお、この携帯端末４００は、第１〜第３の実施形態において説明した構成を併せ持つことができることは言うまでもない。例えば携帯端末４００は、アイコンＩを表示する画面において新着情報の件数及び内容の一部の少なくともいずれかを表示させてもよい。また携帯端末４００は、表示画面を複数の領域に分けて、領域毎に異なるアイコンＩを表示させてもよい。また携帯端末４００は、さらに位置情報取得部２０９の構成を有し、取得された位置情報に基づいて表示させるアイコンＩを選択してもよい。或いは携帯端末４００は、行動認識部３１１の構成を有し、取得された認識結果に基づいて表示させるアイコンＩを選択してもよい。
【００７４】
以上、本実施形態に係る携帯端末４００の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。また携帯端末４００のハードウェア構成の一例については、後述される。
【００７５】
なお、上述のような本実施形態に係る携帯端末４００の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００７６】
（４−２．表示画面例）
次に、図１８を参照しながら、携帯端末４００の表示部１０３に表示される表示画面の一例について説明する。図１８は、同実施形態において、携帯端末が横向きに持たれているときの表示画面の一例である。
【００７７】
例えば図１８に示されるように、タッチセンサ１０５が長押し操作を検出したときに、筐体向き検出部４１３から供給される筐体の向きが、筐体が横向きに持たれていることを示していると、制御部４０７は、この筐体の向きに基づいて選択されたアイコンＩの組を表示させることができる。このとき表示されるアイコンＩの組は、例えば筐体が横向きに持たれているときによく利用されるアプリケーションと対応づけられたものであることが望ましい。例えば、図１８の例においては、撮像アプリケーションを起動させるためのアイコンＩｂ及びアイコンＩｕと、テレビ視聴アプリケーションを起動させるためのアイコンＩｖ、動画再生アプリケーションを起動させるためのアイコンＩｑが表示される。ここで示されるように、画像を取り扱うアプリケーションは比較的大きな画面を用いる要求が高いため、横向きで利用される確率が高い。このように横向きで持たれているときには、横向きで利用される可能性が高いアプリケーションを起動するためのアイコンＩへアクセスしやすくすることによって、よりユーザが所望のアプリケーションを素早く起動させることができる。
【００７８】
（４−３．動作例）
ここで図１９を参照しながら、本実施形態に係る携帯端末４００のロック解除及びアプリケーション起動における動作の一例を説明する。図１９は、同実施形態に係る携帯端末の動作の一例を示すフローチャートである。
【００７９】
まず、制御部４０７は、タッチセンサ１０５によって画面タッチが検出されたか否かを判断する（Ｓ４０１）。そして、画面タッチが検出されると、次に制御部４０７は、検出されたタッチ位置が所定時間以上変わらない長押し操作が検出されたか否かを判断する（Ｓ４０３）。そしてステップＳ４０３において長押し操作が検出されると、制御部４０７は、次に筐体向き検出部４１３から筐体の向きを取得し、取得された向きに基づいて表示させるアイコンの組を選択する（Ｓ４０４）。そして制御部４０７は、検出されたタッチ位置から放射状に選択されたアイコンＩを表示させる（Ｓ４０５）。
【００８０】
そして次に制御部４０７は、所定時間内に方向を指示するドラッグ操作が検出されたか否かを判断する（Ｓ４０７）。ここで所定時間内にドラッグ操作が検出されると、制御部４０７は、ドラッグ操作の方向に応じたアプリケーションを起動させる（Ｓ４０９）。例えば制御部４０７は、ドラッグ操作によりいずれかのアイコンＩが特定されるときには、特定されたアイコンＩに対応づけられたアプリケーションを起動させることができる。また制御部４０７は、ドラッグ操作によりいずれのアイコンＩも特定されないときには、ホームアプリケーションを起動させてもよい。
【００８１】
＜５．第５の実施形態＞
次に、本開示の第５の実施形態に係る携帯端末５００について説明する。第１〜第４の実施形態においては、それぞれ表示させるアイコンの選択の仕方の異なる実施形態について説明してきたが、本実施形態は、ロック解除の方法が第１〜第４の実施形態と異なる。また、第５の実施形態は、表示させるアイコンの選択の仕方については、第１〜第４の実施形態のいずれの構成もとることができる。以下の説明中においては、この差異点について主に説明し、共通する構成については説明を省略する。
【００８２】
まず図２０を参照しながら、本実施形態に係る携帯端末５００の概略構成について説明する。図２０は、本開示の第５の実施形態に係る携帯端末の機能ブロック図である。
【００８３】
図２０に示されるように、本開示の第５の実施形態に係る携帯端末５００は、表示部１０３と、タッチセンサ１０５と、制御部５０７とを主に有する。
【００８４】
第１〜第４の実施形態においては、ロック解除操作は、表示画面中の任意の点における長押し操作とした。しかし、本実施形態においては、アンロックパターンが用いられる。ここでいうアンロックパターンを用いると、表示画面に表示された複数の点をつなぐパターンを予めロック解除のためのパターンとして登録されたパターンと照合して合致した場合にロックが解除される。かかる構成により、携帯端末５００の持ち主であることが特定された場合にのみロックを解除することができる。またここで用いられるパターンは、一筆書きで描くことのできるパターンとする。
【００８５】
制御部５０７は、携帯端末５００の全体の動作を制御する機能を有する。例えば制御部５０７は、タッチセンサ１０５から入力された操作体の位置の情報に基づいて、表示部１０３に表示させる表示画面の内容を制御する表示制御部として機能することができる。また制御部５０７は、携帯端末５００の持ち主を特定する認証部として機能することもできる。例えば制御部５０７は、ロック状態の表示画面に対する画面タッチが検出されると、アンロックパターンの設定がされているか否かを確認することができる。そして、アンロックパターンが設定されている場合には、制御部５０７は、アンロックパターンの入力画面を表示させる。この入力画面に対して入力操作が行われると、制御部５０７は、タッチパネル１０５が検出した入力パターンと、予め登録されたパターンとを照合する。制御部５０７は、照合の結果、両パターンが一致したときには入力パターンの最後の点を中心とする放射状に配置されたアイコンＩを表示させる。また制御部５０７は、表示させたアイコンＩのいずれかに対するドラッグ操作が検出されると、このドラッグ操作により特定されるアイコンＩに対応づけられたアプリケーションを起動させることができる。
【００８６】
なお、この携帯端末５００は、上述の通り、アイコンＩの表示においては第１〜第４の実施形態のいずれの方法を採用してもよい。すなわち携帯端末５００は、アイコンＩを表示する画面において新着情報の件数及び内容の一部の少なくともいずれかを表示させてもよい。また、アンロックパターンが設定されていない場合には、携帯端末５００は、表示画面を複数の領域に分けて、領域毎に異なるアイコンＩを表示させてもよい。また、携帯端末５００は、さらに位置情報取得部２０９の構成を有し、取得された位置情報に基づいて表示させるアイコンＩを選択してもよい。或いは、携帯端末５００は、行動認識部３１１の構成を有し、取得された認識結果に基づいて表示させるアイコンＩを選択してもよい。また、携帯端末５００は、筐体向き検出部４１３の構成を有し、筐体の向きに応じて表示させるアイコンＩを選択してもよい。
【００８７】
以上、本実施形態に係る携帯端末５００の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。また携帯端末５００のハードウェア構成の一例については、後述される。
【００８８】
なお、上述のような本実施形態に係る携帯端末５００の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００８９】
（５−１．表示画面例）
まず図２１を参照しながら、本実施形態に係る携帯端末５００の表示画面１０３に表示される表示画面の一例について説明する。図２１は、本開示の第５の実施形態に係る携帯端末において表示される、持ち主特定を含むロック解除操作を行う表示画面の一例である。
【００９０】
例えば図２１（Ａ）に示されるようなアンロックパターンの入力画面を制御部５０７が表示させたとき、ユーザが矢印で示したパターンを描いたとする。このとき、制御部５０７は、入力されたパターンと予め登録されたパターンとを照合する。入力されたパターンと予め登録されたパターンとが合致すると、制御部５０７は、このパターンの最終点Ｐ２を中心とした放射状にアイコンＩを表示させる（図２１（Ｂ））。ここでユーザが、表示されたアイコンＩのいずれかに対してドラッグ操作を行うと（図２１（Ｃ））、第１〜第４の実施形態と同様に、ドラッグ操作が検出された方向のアイコンＩと対応づけられたアプリケーションが起動される。
【００９１】
（５−２．動作例）
ここで図２２を参照しながら、携帯端末５００のロック解除及びアプリケーション起動における動作の一例を説明する。図２２は、同実施形態に係る携帯端末の動作の一例を示すフローチャートである。
【００９２】
まず制御部５０７は、タッチセンサ１０５によって画面タッチが検出されたか否かを判断する（Ｓ５０１）。そして次に制御部５０７は、アンロックパターンが設定されているか否かを判断する（Ｓ５０３）。ここでアンロックパターンが設定されている場合には、制御部５０７は、アンロックパターンの入力画面を表示部１０３に表示させる（Ｓ５０５）。この入力画面に対してユーザが入力操作を行うと、制御部５０７は、入力されたパターンと予め登録されたパターンとを照合し、アンロックパターンが正しく入力されたか否かを判断する（Ｓ５０７）。ステップＳ５０７において、アンロックパターンが正しく入力されたと判断された場合には、次に制御部５０７は、検出されたタッチ位置（ここではアンロックパターンの最後の点）から放射状にアイコンＩを表示させる（Ｓ５０９）。
【００９３】
一方、ステップＳ５０３において、アンロックパターンが設定されていないと判断された場合には、次に制御部５０７は、タッチセンサ１０５によって、長押し操作が検出されたか否かを判断する（Ｓ５１１）。ここで長押し操作が検出された場合には、制御部５０７は、検出されたタッチ位置（ここでは長押しされた点）を中心とする放射状にアイコンＩを表示させる。
【００９４】
そして、制御部５０７は、所定時間以内にドラッグ操作が検出されたか否かを判断する（Ｓ５１３）。ステップＳ５１３において、ドラッグ操作が検出された場合には、制御部５０７は、ドラッグ操作の方向に応じたアプリケーションを起動させる（Ｓ５１５）。例えば制御部５０７は、ドラッグ操作によりいずれかのアイコンＩが特定されるときには、特定されたアイコンＩに対応づけられたアプリケーションを起動させることができる。また制御部５０７は、ドラッグ操作によりいずれのアイコンＩも特定されないときには、ホームアプリケーションを起動させてもよい。
【００９５】
以上、本開示の第５の実施形態に係る携帯端末５００について説明してきた。かかる構成によれば、持ち主特定を行うロック解除操作の後アプリケーションを起動させる場合にも、操作性を向上させることができる。特に、一筆書きで描くパターンにより持ち主特定を行うアンロックパターンの最終点を中心とした放射状にアイコンＩを表示させる構成によれば、ロック解除からアプリケーションの起動までを一連の操作で（操作画面から指を離すことなく）行うことができる。
【００９６】
＜６．ハードウェア構成例＞
以上説明した本開示の第１〜第５の実施形態に係る携帯端末１００、携帯端末２００、携帯端末３００、携帯端末４００、及び携帯端末５００は、上述の通り本実施形態を実施する時々の技術レベルに応じて、適宜利用する構成を選択することが可能である。ここでは、この携帯端末１００、携帯端末２００、携帯端末３００、携帯端末４００、及び携帯端末５００の機能を実現するためのハードウェア構成の一例について説明する。なお、ここで説明するハードウェア構成は一例であり、構成要素の一部を省略及び追加することが可能である。
【００９７】
携帯端末１００、携帯端末２００、携帯端末３００、携帯端末４００、及び携帯端末５００は、例えば、ＧＰＳアンテナ８２１と、ＧＰＳ処理部８２３と、通信アンテナ８２５と、通信処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９とを有する。
【００９８】
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００９９】
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該端末装置１００までの距離をそれぞれ算出する。そして、算出された各ＧＰＳ衛星の位置と、各ＧＰＳ衛星から当該端末装置１００までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【０１００】
通信アンテナ８２５は、例えば携帯通信網や無線ＬＡＮ（Ｌｏｃａｌ  Ａｒｅａ  Ｎｅｔｗｏｒｋ）通信網を介して通信信号を受信する機能を有するアンテナである。通信アンテナ８２５は、受信した信号を通信処理部８２７に供給することができる。
【０１０１】
通信処理部８２７は、通信アンテナ８２５から供給された信号に各種の信号処理を行う機能を有する。通信処理部８２７は、供給されたアナログ信号から生成したデジタル信号をＣＰＵ８３９に供給することができる。
【０１０２】
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【０１０３】
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【０１０４】
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【０１０５】
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【０１０６】
撮像部８３７は、ＣＰＵ８３９の制御に従い、レンズを介して静止画像又は動画像を撮影する機能を有する。撮像部８３７は、撮影した画像を記憶部８５９に記憶させてもよい。
【０１０７】
ＣＰＵ８３９は、演算処理装置及び制御装置として機能し、各種プログラムに従って携帯端末１００、携帯端末２００、携帯端末３００、携帯端末４００、又は携帯端末５００内の動作全般を制御する。またＣＰＵ８３９は、マイクロプロセッサであってもよい。このＣＰＵ８３９は、各種プログラムに従って様々な機能を実現することができる。
【０１０８】
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【０１０９】
操作部８４７は、ユーザが所望の操作をするための入力信号を生成する機能を有する。操作部８４７は、例えばタッチセンサ、マウス、キーボード、ボタン、マイク、スイッチ及びレバーなどユーザが情報を入力するための入力部と、ユーザによる入力に基づいて入力信号を生成し、ＣＰＵ８３９に出力する入力制御回路などから構成されてよい。
【０１１０】
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、ユーザに対して画面を表示することにより情報を提供することができる。
【０１１１】
デコーダ８５１は、ＣＰＵ８３９の制御に従い、入力されたデータのデコード及びアナログ変換などを行う機能を有する。デコーダ８５１は、例えば通信アンテナ８２５及び通信処理部８２７を介して入力された音声データのデコード及びアナログ変換などを行い、音声信号をスピーカ８５３に出力する。スピーカ８５３は、デコーダ８５１から供給される音声信号に基づいて音声を出力することができる。
【０１１２】
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【０１１３】
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。記憶部８５９は、それぞれの条件を満たしたときに表示されるアイコンＩの組合せの情報を記憶することができる。ここで表示される条件とは、例えば上述の位置情報、行動認識結果、筐体向きなどを用いた条件であってよい。また、記憶部８５９は、設定されたアンロックパターンの情報を記憶することもできる。
【０１１４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１５】
例えば、上記実施形態では、第１の操作は、長押し操作、又はアンロックパターンの入力によるロック解除操作の場合について説明したが、本技術はかかる例に限定されない。例えば、パスワードの入力やその他のロック解除操作についても適用することができる。この場合にも、ロック解除操作の最終点を中心としてアイコンを表示させればよい。また、押し込み操作を検出できる構成である場合には、第１の操作は押し込み操作であってもよい。
【０１１６】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【０１１７】
なお、以下のような構成も本開示の技術的範囲に属する。
（１）
表示画面に対する操作体の位置を検出する検出部と、
ロック状態の前記表示画面に対する第１の操作が検出されると、前記第１の操作が終了したときの前記操作体の位置を示す基準点に基づいて配置されるアイコンを前記表示画面上に表示させ、前記基準点からの方向を指示する第２の操作が検出されると、前記第２の操作により特定される前記アイコンに対応づけられたアプリケーションを起動させる制御部と、
を備える、情報処理装置。
（２）
前記制御部は、前記基準点を中心とする放射状に前記アイコンを配置させる、前記（１）に記載の情報処理装置。
（３）
前記制御部は、前記基準点の位置に基づいて、表示させる前記アイコンの組を選択する、前記（１）または（２）のいずれかに記載の情報処理装置。
（４）
前記表示画面は複数の領域に分割されており、
前記制御部は、検出された前記基準点がいずれの領域に含まれるかに基づいて、表示させる前記アイコンの組を選択する、前記（３）に記載の情報処理装置。
（５）
現在地の位置情報を取得する位置情報取得部、
をさらに備え、
前記制御部は、前記位置情報に基づいて、表示させる前記アイコンの組を選択する、前記（１）〜（４）のいずれかに記載の情報処理装置。
（６）
前記制御部は、現時点の日時及び曜日にさらに基づいて、表示させる前記アイコンの組を選択する、前記（１）〜（５）のいずれかに記載の情報処理装置。
（７）
ユーザの行動を認識する行動認識部、
をさらに備え、
前記制御部は、認識された前記ユーザの行動に基づいて、表示させる前記アイコンの組を選択する、前記（１）〜（６）のいずれかに記載の情報処理装置。
（８）
前記行動認識部により前記ユーザがジョギングをしていると認識されたときに表示される前記アイコンの組は、位置情報のロギングアプリケーション、音楽再生アプリケーション、及び経路案内アプリケーションの少なくともいずれかを含む、前記（７）に記載の情報処理装置。
（９）
前記情報処理装置の筐体の向きを検出する筐体向き検出部、
をさらに備え、
前記制御部は、検出された前記筐体の向きに応じて、互いに異なる前記アイコンの組を表示させる、前記（１）〜（８）のいずれかに記載の情報処理装置。
（１０）
前記筐体の長手方向が横向きであることが検出されたときに表示される前記アイコンの組は、撮像アプリケーションに対応づけられたアイコンを含む、前記（９）に記載の情報処理装置。
（１１）
前記筐体の長手方向が横向きであることが検出されたときに表示される前記アイコンの組は、映像再生アプリケーションと対応づけられたアイコンを含む、前記（９）に記載の情報処理装置。
（１２）
前記第1の操作は、持ち主を特定するための操作である、前記（１）〜（１１）のいずれかに記載の情報処理装置。
（１３）
前記第1の操作は、前記表示画面の任意の点に対する長押し操作または押し込み操作である、前記（１）〜（１１）のいずれかに記載の情報処理装置。
（１４）
ロック状態の表示画面に対する第１の操作を検出することと、
前記第１の操作が終了したときの操作体の位置を示す基準点に基づいて配置されるアイコンを前記表示画面上に表示させることと、
前記基準点からの方向を指示する第２の操作を検出することと、
前記第２の操作により特定される前記アイコンに対応づけられたアプリケーションを起動させることと、
を含む、情報処理方法。
（１５）
コンピュータを、
表示画面に対する操作体の位置を検出する検出部と、
ロック状態の前記表示画面に対する第１の操作が検出されると、前記第１の操作が終了したときの前記操作体の位置を示す基準点に基づいて配置されるアイコンを前記表示画面上に表示させ、前記基準点からの方向を指示する第２の操作が検出されると、前記第２の操作により特定される前記アイコンに対応づけられたアプリケーションを起動させる制御部と、
を備える、情報処理装置として機能させるためのプログラム。
（１６）
前記制御部は、前記基準点を中心とする放射状に前記アイコンを配置させる、前記（１５）に記載のプログラム。
（１７）
前記制御部は、前記基準点の位置に基づいて、表示させる前記アイコンの組を選択する、前記（１５）または（１６）のいずれかに記載のプログラム。
（１８）
前記表示画面は複数の領域に分割されており、
前記制御部は、検出された前記基準点がいずれの領域に含まれるかに基づいて、表示させる前記アイコンの組を選択する、前記（１７）に記載のプログラム。
（１９）
前記情報処理装置は、現在地の位置情報を取得する位置情報取得部をさらに備え、
前記制御部は、前記位置情報に基づいて、表示させる前記アイコンの組を選択する、前記（１５）〜（１８）のいずれかに記載のプログラム。
（２０）
前記制御部は、現時点の日時及び曜日にさらに基づいて、表示させる前記アイコンの組を選択する、前記（１５）〜（１９）のいずれかに記載のプログラム。
【符号の説明】
【０１１８】
１００    携帯端末
１０３    表示部
１０５    タッチセンサ
１０７    制御部
２００    携帯端末
２０７    制御部
２０９    位置情報取得部
３００    携帯端末
３０７    制御部
３１１    行動認識部
４００    携帯端末
４０７    制御部
４１４    筐体向き検出部
５００    携帯端末
【図１】
2015228249.tif 000003
【図２】
2015228249.tif 000004
【図３】
2015228249.tif 000005
【図４】
2015228249.tif 000006
【図５】
2015228249.tif 000007
【図６】
2015228249.tif 000008
【図７】
2015228249.tif 000009
【図８】
2015228249.tif 000010
【図９】
2015228249.tif 000011
【図１０】
2015228249.tif 000012
【図１１】
2015228249.tif 000013
【図１２】
2015228249.tif 000014
【図１３】
2015228249.tif 000015
【図１４】
2015228249.tif 000016
【図１５】
2015228249.tif 000017
【図１６】
2015228249.tif 000018
【図１７】
2015228249.tif 000019
【図１８】
2015228249.tif 000020
【図１９】
2015228249.tif 000021
【図２０】
2015228249.tif 000022
【図２１】
2015228249.tif 000023
【図２２】
2015228249.tif 000024
【図２３】
2015228249.tif 000025
【図２４】
2015228249.tif 000026
【図２５】
2015228249.tif 000027
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
表示画面に対する操作体の位置を検出する検出部と、
ロック状態の前記表示画面に対する第１の操作に基づいて、アイコンを前記表示画面上に表示させ、前記第１の操作が検出された後に検出される第２の操作が検出されると、前記第２の操作により特定される前記アイコンに対応づけられた処理を実行させる制御部と、
を備え、
前記制御部は、前記第１の操作が検出された位置に基づいて、表示させる前記アイコンの組を選択する、
情報処理装置。
【請求項２】
前記第２の操作は、前記操作体を所定の方向に移動させる操作である、請求項１に記載の情報処理装置。
【請求項３】
前記検出部は、前記表示画面から離間した操作体の位置を検出する非接触式のセンサである、請求項１または２に記載の情報処理装置。
【請求項４】
前記表示画面は、有機ＥＬディスプレイである、請求項１から３のいずれか一項に記載の情報処理装置。
【請求項５】
前記操作体は、スタイラスペンである、請求項１から４のいずれか一項に記載の情報処理装置。
【請求項６】
前記制御部は、前記アイコンとともに、当該アイコンと対応付けられた新着情報の件数を表示させる、請求項１から５のいずれか一項に記載の情報処理装置。
【請求項７】
前記制御部は、互いに異なるアプリケーションに対応付けられた複数のアイコンを、前記表示画面上に表示させる、請求項１から６のいずれか一項に記載の情報処理装置。
【請求項８】
前記制御部は、前記アイコンに対する前記第２の操作に応じて、当該アイコンに対応付けられたアプリケーションを起動させる、請求項１から７のいずれか一項に記載の情報処理装置。
【請求項９】
前記第１の操作は、前記表示画面の任意の点に対する長押し操作または押し込み操作である、請求項１から８のいずれか一項に記載の情報処理装置。
【請求項１０】
前記制御部は、前記第１の操作が検出される位置に応じて、前記アイコンの表示位置を決定する、請求項１から９のいずれか一項に記載の情報処理装置。
【請求項１１】
前記制御部は、前記第１の操作が検出された後、所定時間以内に前記第２の操作が行われたか否かを判定する、請求項１から１０のいずれか一項に記載の情報処理装置。
【請求項１２】
前記制御部は、取得されたユーザの位置情報に応じて、前記表示画面上に表示させる前記アイコンを決定する、請求項１から１１のいずれか一項に記載の情報処理装置。
【請求項１３】
前記制御部は、取得された時間情報に応じて、前記表示画面上に表示させる前記アイコンを決定する、請求項１から１１のいずれか一項に記載の情報処理装置。
【請求項１４】
前記制御部は、ユーザのスケジュール情報に応じて、前記表示画面上に表示させる前記アイコンを決定する、請求項１から１１のいずれか一項に記載の情報処理装置。
【請求項１５】
前記制御部は、ユーザの行動を認識した結果に応じて、前記表示画面上に表示させる前記アイコンを決定する、請求項１から１１のいずれか一項に記載の情報処理装置。
【請求項１６】
前記ユーザの行動は、該ユーザの現在の位置情報または、ジャイロセンサまたは加速度センサの検出値に基づいて認識される
請求項１４に記載の情報処理装置。
【請求項１７】
前記制御部は、加速度センサの検出値に基づいて、前記表示画面上に表示させる前記アイコンを決定する、請求項１から１１のいずれか一項に記載の情報処理装置。
【請求項１８】
前記制御部は、ジャイロセンサの検出値に基づいて、前記表示画面上に表示させる前記アイコンを決定する、請求項１から１１のいずれか一項に記載の情報処理装置。
【請求項１９】
前記制御部は、取得された前記表示画面を備える筐体の向きを示す情報に基づいて、前記表示画面上に表示させる前記アイコンを決定する、請求項１から１１のいずれか一項に記載の情報処理装置。
【請求項２０】
前記制御部は、ＲＦＩＤタグの情報に基づいて、前記表示画面上に表示させる前記アイコンを決定する、請求項１から１１のいずれか一項に記載の情報処理装置。
【請求項２１】
前記情報処理装置は、通話機能を有する端末として構成される、請求項１から２０のいずれか一項に記載の情報処理装置。
【請求項２２】
前記アイコンのうち少なくとも一つは、通話アプリケーションと対応付けられている、請求項１から２１のいずれか一項に記載の情報処理装置。
【請求項２３】
前記アイコンのうち少なくとも一つは、メールアプリケーションと対応付けられている、請求項１から２２のいずれか一項に記載の情報処理装置。
【請求項２４】
前記アイコンのうち少なくとも一つは、ジョギングサポートアプリケーションと対応付けられている、請求項１から２３のいずれか一項に記載の情報処理装置。
【請求項２５】
前記アイコンのうち少なくとも一つは、カレンダーアプリケーションと対応付けられている、請求項１から２４のいずれか一項に記載の情報処理装置。
から
【請求項２６】
前記制御部は、前記第１の操作が検出されたときの前記操作体の位置に応じた基準点を中心とする放射状に前記アイコンを配置させる、請求項１から２５のいずれか一項に記載の情報処理装置。
【請求項２７】
前記制御部は、前記第１の操作が検出されたときの前記操作体の位置に応じた基準点の位置に基づいて、表示させる前記アイコンの組を選択する、請求項１から２６のいずれか一項に記載の情報処理装置。
【請求項２８】
前記表示画面は複数の領域に分割されており、
前記制御部は、検出された前記基準点がいずれの領域に含まれるかに基づいて、表示させる前記アイコンの組を選択する、請求項２７に記載の情報処理装置。
から
【請求項２９】
前記制御部は、現時点の日時及び曜日にさらに基づいて、表示させる前記アイコンの組を選択する、請求項１から２８のいずれか一項に記載の情報処理装置。
から
【請求項３０】
前記ユーザの行動の認識結果が、前記ユーザがジョギングをしていることを示す場合に、前記制御部は、位置情報のロギングアプリケーション、音楽再生アプリケーション、及び経路案内アプリケーションのうち少なくともいずれか一つ関連する前記アイコンを含む前記アイコンの組を選択する、請求項１４に記載の情報処理装置。
【請求項３１】
前記情報処理装置の筐体の向きを検出する筐体向き検出部、
をさらに備え、
前記制御部は、検出された前記筐体の向きに応じて、互いに異なる前記アイコンの組を表示させる、請求項１から３０のいずれか一項に記載の情報処理装置。
【請求項３２】
前記筐体の長手方向が横向きであることが検出されたときに表示される前記アイコンの組は、撮像アプリケーションに対応づけられたアイコンを含む、請求項３１に記載の情報処理装置。
【請求項３３】
前記筐体の長手方向が横向きであることが検出されたときに表示される前記アイコンの組は、映像再生アプリケーションと対応づけられたアイコンを含む、請求項３１に記載の情報処理装置。
【請求項３４】
前記第1の操作は、持ち主を特定するための操作である、請求項１から３３のいずれか一項に記載の情報処理装置。
【請求項３５】
ディスプレイ、タッチセンサ、ボタン、無線ＬＡＮアンテナ、ＧＰＳアンテナ、加速度センサ、ジャイロセンサ、気圧センサ、撮像部、デコーダー、エンコーダー、スピーカ、及びマイクを備える、請求項１から３４のいずれか一項に記載の情報処理装置。
【請求項３６】
表示画面に対する操作体の位置を検出することと、
ロック状態の前記表示画面に対する第１の操作に基づいて、アイコンを前記表示画面上に表示させ、前記第１の操作が検出された後に検出される第２の操作が検出されると、前記第２の操作により特定される前記アイコンに対応づけられた処理を実行させることと、
前記第１の操作が検出された位置に基づいて、表示させる前記アイコンの組を選択することと、
を含む、情報処理方法。
【請求項３７】
ユーザの行動を認識することと、
前記ユーザの行動を認識した結果に応じて、前記表示画面上に表示させる前記アイコンを決定することと、
を含む、請求項３６に記載の情報処理方法。
【請求項３８】
コンピュータに、
表示画面に対する操作体の位置を検出することと、
ロック状態の前記表示画面に対する第１の操作に基づいて、アイコンを前記表示画面上に表示させ、前記第１の操作が検出された後に検出される第２の操作が検出されると、前記第２の操作により特定される前記アイコンに対応づけられた処理を実行させることと、
前記第１の操作が検出された位置に基づいて、表示させる前記アイコンの組を選択することと、
を実行させる、プログラム。
【請求項３９】
前記コンピュータに、
ユーザの行動の認識の認識結果を取得させることと、
前記ユーザの行動の認識結果に応じて、前記表示画面上に表示させる前記アイコンを決定させること、
を実行させる、請求項３８に記載のプログラム。